(57)【要約】【課題】  既存梁を取り外すような大掛かりな工事を必要とせず、新たな梁を既存の柱や梁などの被接合部材に強固に接合することができる梁受金物固定具及び梁の増設方法を提供する。【解決手段】梁受金物固定具１は、少なくとも一方の側面に既設梁１１が既設梁受金物１０を介して固定された被接合部材２の当該既設梁１１が固定された側面と反対の側面に、新設梁４を増設するための新設梁受金物３を固定する梁受金物固定具１であって、前記被接合部材２の前記既設梁１１と反対の側面に当接する矩形板状のベース体５の、両側部に複数個の挿通孔６が縦方向に少なくとも二列並んで形成されるとともに、中央部に前記新設梁受金物３が当接する縦長の凸部７が設けられ、当該凸部７から前記新設梁受金物３を固定する連結ボルト９が突出する。【選択図】図６
2017101470.tif 000002
【特許請求の範囲】
【請求項１】
少なくとも一方の側面に既設梁が既設梁受金物を介して固定された被接合部材の当該既設梁が固定された側面と反対の側面に、新設梁を増設するための新設梁受金物を固定する梁受金物固定具であって、
前記被接合部材の前記既設梁と反対の側面に当接する矩形板状のベース体の、両側部に複数個の挿通孔が縦方向に少なくとも二列並んで形成されるとともに、中央部に前記新設梁受金物が当接する縦長の凸部が設けられ、当該凸部から前記新設梁受金物を固定する連結ボルトが突出することを特徴とする梁受金物固定具。
【請求項２】
前記凸部は、前記中央部から前記両側部に向かって、前記挿通孔が形成されていない位置に形成され、前記新設梁の木口面が当接する両側凸部が設けられることを特徴とする請求項１に記載の梁受金物固定具。
【請求項３】
前記被接合部材は柱材であり、当該柱材には、前記一方の側面を含む互いに隣接する少なくとも２つの側面に既設梁が既設梁受金物を介して固定されており、前記挿通孔は、前記既設梁受金物を柱材に固定する固定ボルトが設けられる間隔の半分の間隔で形成されることを特徴とする請求項１又は請求項２に記載の梁受金物固定具。
【請求項４】
少なくとも一方の側面に既設梁が既設梁受金物を介して固定されている被接合部材の当該既設梁が固定された側面と反対の側面に、新設梁を増設する梁の増設方法であって、
矩形板状のベース体の、両側部に複数個の挿通孔が縦方向に少なくとも二列並んで形成されるとともに、中央部に新設の梁受金物が当接する縦長の凸部が設けられ、当該凸部から前記新設梁受金物を固定する連結ボルトが突出する梁受金物固定具を、前記被接合部材の前記既設梁と反対側の側面に当接させた状態で、
雄ネジ材を前記挿通孔に挿通させて、当該雄ネジ材を前記被接合部材に螺着させて、前記梁受金物固定具を前記被接合部材に固定し、
次に、前記連結ボルトに前記新設梁受金物の背面板に設けられた固定孔を外挿し、当該連結ボルトにナットを螺着させて、前記新設梁受金物を前記梁受金物固定具に固定し、
その後、前記新設梁の木口面に形成されたスリットに、前記新設梁受金物の背面板から延びる梁受プレートを挿入し、当該新設梁及び梁受プレートを水平に貫通するように固定ピンを挿入して、前記新設梁を前記被接合部材に固定することを特徴とする梁の増設方法。
【請求項５】
前記凸部は、前記両側部の前記挿通孔が形成されていない位置に向かって形成される両側凸部を有しており、
前記新設梁の木口面に形成されたスリットに、前記新設梁受金物の前記梁受プレートを挿入し、当該新設梁及び梁受プレートを水平に貫通するように固定ピンを挿入したときに、前記新設梁の木口面が前記両側凸部に当接することを特徴とする請求項４に記載の梁の増設方法。
【請求項６】
前記被接合部材は柱材であり、当該柱材には、前記一方の側面を含む互いに隣接する少なくとも２つの側面に既設梁が既設梁受金物を介して固定されているとともに、前記挿通孔は、前記既設梁受金物を柱材に固定する固定ボルトが設けられる間隔の半分の間隔で形成されており、
前記挿通孔のうち、前記固定ボルトに干渉しない高さ位置の挿通孔に前記雄ネジ材を挿通させて、当該雄ネジ材を前記柱材に螺着させて、前記梁受金物固定具を前記柱材に固定することを特徴とする請求項４又は請求項５に記載の梁の増設方法。
【発明の詳細な説明】
【技術分野】
【０００１】
本発明は、建築物の増改築に際して、既設の柱又は梁などの被接合部材に新たな梁を増設するための梁受金物固定具及び梁の増設方法に関する。
【背景技術】
【０００２】
梁を柱材に接合する技術としては、柱材の側面に固定するための固定孔を穿設した固定板、及び、この固定板から突設され、梁に連結される一対の対向した連結板を有する梁受金具と、一方の端部にストッパーピンと矩形板状部材とからなる係止部を有し、他方の端部に装入孔が形成され、受け金具の固定孔に挿入されるボルトとを備えた構成が知られている（特許文献１参照）。
【０００３】
上述の構成では、柱材に梁受金物がボルトで固定された状態で、梁の木口面に形成されたスリットに連結板を差込ストッパーピンで固定することにより柱材に梁を固定するものであるので、ボルトが他の部材に干渉する位置には取り付けることができず、例えば増改築の場合などのように既存の梁などが固定されている柱材に新規の梁を増設するような場合には、新たな梁受金物を固定するためのボルトが既存梁を固定する梁受金物のボルトと干渉して固定できない場合がある。
【０００４】
そこで、建築物を増築する場合のように、建築物の構造躯体を構成している既設の柱や梁に新規の梁を固定して増築する場合には、例えば、特許文献２のような接合構造が挙げられる。この構造では、通し柱と、該通し柱の側面に端部が当接された梁と、を接合する構造であり、軸組部材接合寄せ部材の引寄せボルトを、通し柱に貫通形成されたボルト孔に挿通してするとともに梁の下面に取り付けられた反力部材のブラケットに形成された挿通孔に挿通した上、その先端にナットを螺合することで、梁を通し柱の側面に引き寄せるように固定している。
【先行技術文献】
【特許文献】
【０００５】
【特許文献１】特開２０１０−２８１１９２号公報
【特許文献２】特開２００５−３３６８５２号公報
【発明の概要】
【発明が解決しようとする課題】
【０００６】
ところで、上述の特許文献２のような構成は、特許文献１のような梁受金物に比べると、接合強度が弱くなる問題がある。一方、前述のように、特許文献１のような梁受金物を用いて梁を増設する場合には、既存梁を固定する梁受金物のボルトとの干渉が問題となる。また、梁受金物の固定には、新たに梁を接合する面と反対側の面からボルトなどを施工する必要があり、そのためには、既に設置されている既存梁をいったん取り外すなどの大掛かりな工事が必要となってしまう。
【０００７】
そこで本発明は、既存梁を取り外すような大掛かりな工事を必要とせず、新たな梁を既存の柱や梁などの被接合部材に強固に接合することができる梁受金物固定具及び梁の増設方法を提供することを目的とする。
【課題を解決するための手段】
【０００８】
本発明の梁受金物固定具は、少なくとも一方の側面に既設梁が既設梁受金物を介して固定された被接合部材の当該既設梁が固定された側面と反対の側面に、新設梁を増設するための新設梁受金物を固定する梁受金物固定具であって、前記被接合部材の前記既設梁と反対の側面に当接する矩形板状のベース体の、両側部に複数個の挿通孔が縦方向に少なくとも二列並んで形成されるとともに、中央部に前記新設梁受金物が当接する縦長の凸部が設けられ、当該凸部から前記新設梁受金物を固定する連結ボルトが突出することを特徴としている。
【０００９】
また、本発明の梁受金物固定具は、前記凸部は、前記中央部から前記両側部に向かって、前記挿通孔が形成されていない位置に形成され、前記新設梁の木口面が当接する両側凸部が設けられることを特徴としている。
【００１０】
また、本発明の梁受金物固定具は、前記被接合部材は柱材であり、当該柱材には、前記一方の側面を含む互いに隣接する少なくとも２つの側面に既設梁が既設梁受金物を介して固定されており、前記挿通孔は、前記既設梁受金物を柱材に固定する固定ボルトが設けられる間隔の半分の間隔で形成されることを特徴としている。
【００１１】
本発明の梁の増設方法は、少なくとも一方の側面に既設梁が既設梁受金物を介して固定されている被接合部材の当該既設梁が固定された側面と反対の側面に、新設梁を増設する梁の増設方法であって、矩形板状のベース体の、両側部に複数個の挿通孔が縦方向に少なくとも二列並んで形成されるとともに、中央部に新設の梁受金物が当接する縦長の凸部が設けられ、当該凸部から前記新設梁受金物を固定する連結ボルトが突出する梁受金物固定具を、前記被接合部材の前記既設梁と反対側の側面に当接させた状態で、雄ネジ材を前記挿通孔に挿通させて、当該雄ネジ材を前記被接合部材に螺着させて、前記梁受金物固定具を前記被接合部材に固定し、次に、前記連結ボルトに前記新設梁受金物の背面板に設けられた固定孔を外挿し、当該連結ボルトにナットを螺着させて、前記新設梁受金物を前記梁受金物固定具に固定し、その後、前記新設梁の木口面に形成されたスリットに、前記新設梁受金物の背面板から延びる梁受プレートを挿入し、当該新設梁及び梁受プレートを水平に貫通するように固定ピンを挿入して、前記新設梁を前記被接合部材に固定することを特徴としている。
【００１２】
さらに本発明の梁の増設方法は、前記凸部は、前記両側部の前記挿通孔が形成されていない位置に向かって形成される両側凸部を有しており、前記新設梁の木口面に形成されたスリットに、前記新設梁受金物の前記梁受プレートを挿入し、当該新設梁及び梁受プレートを水平に貫通するように固定ピンを挿入したときに、前記新設梁の木口面が前記両側凸部に当接することを特徴としている。
【００１３】
また本発明の梁の増設方法は、前記被接合部材は柱材であり、当該柱材には、前記一方の側面を含む互いに隣接する少なくとも２つの側面に既設梁が既設梁受金物を介して固定されているとともに、前記挿通孔は、前記既設梁受金物を柱材に固定する固定ボルトが設けられる間隔の半分の間隔で形成されており、前記挿通孔のうち、前記固定ボルトに干渉しない高さ位置の挿通孔に前記雄ネジ材を挿通させて、当該雄ネジ材を前記柱材に螺着させて、前記梁受金物固定具を前記柱材に固定することを特徴としている。
【発明の効果】
【００１４】
本発明の梁受金物固定具は、少なくとも一方の側面に既設梁が既設梁受金物を介して固定されている被接合部材の既設梁が固定された側面と反対の側面に新設梁を増設するための新設梁受金物を固定するものである。なおここで、「被接合部材」とは、新たに増設する新設梁の既存建築物側の端部を接合する柱又は梁のことをいう。梁受金物固定具は、被接合部材のベース体を既設梁と反対の側面に当接させて、このベース体の両側部に縦方向に少なくとも二列並んで形成された複数個の挿通孔に雄ネジ材を挿通させて、当該雄ネジ材を被接合部材に螺着させることで、被接合部材に梁受金物固定具が固定される。これによって連結ボルトが被接合部材の梁を新設する側面から突出することになり、この連結ボルトに新設梁受金物を固定し、当該新設梁受金物に新設梁を接合することで、被接合部材の側面に新設梁を増設することができる。そして、これらの一連の工程は、被接合部材の新設梁を増設する側の側面から作業することができるので、既設梁が固定されている状態のまま作業することができ、増設工事を大掛かりなものにすることがない。特に、被接合部材と梁受金物固定具とは、梁受金物固定具のベース体の両側部に縦方向に少なくとも二列並んで形成されている挿通孔に雄ネジ材を挿通させて、当該雄ネジ材を被接合部材に螺着させることで固定されるものであるので、雄ネジ材が螺着する位置は、被接合部材の梁受金物を接合する側面の両側部となり、既設梁受金物を被接合部材に固定するために被接合部材の中央を貫通するように設けられているボルトと干渉することなく取り付けることができる。
【００１５】
また、梁受金物固定具によると、中央部から両側部に向かって、挿通孔が形成されていない位置に新設梁の木口面が当接する両側凸部が設けられているので、梁及び梁受金物が梁受金物固定具と接触する面を水平方向に広げることができ、梁を安定的に接合することができる。
【００１６】
また、被接合部材が柱材であり、当該柱材の互いに隣接する少なくとも２つの側面に既設梁が既設梁受金物を介して固定されている場合には、既設梁受金物を固定するための固定ボルトが、高さ方向にずれた位置で、平面視直交するように被接合部材を貫通する。梁受金物固定具は、その挿通孔が、既設梁受金物を柱材に固定する固定ボルトが設けられる間隔の半分の間隔で形成されているので、雄ネジ材を被接合部材に螺着させる際に固定ボルトと干渉しない位置の挿通孔を選択して、雄ネジ材を螺着させることができる。
【００１７】
本発明の梁の増設方法によると、梁受金物固定具を、被接合部材の既設梁と反対側の側面に当接させた状態で、雄ネジ材を挿通孔に挿通させて、被接合部材に螺着させて、梁受金物固定具を被接合部材に固定するので、梁受金物固定具を被接合部材に固定する作業は、非接合部材の新設梁を増設する側の側面から作業することができるので、既設梁が固定されている状態のまま作業することができる。そして、挿通孔は、ベース体の両側部に縦方向に二列並んで形成されているので、雄ネジ材を被接合部材に螺着させる位置は、梁受金物を接合する側面の両側部となり、既設梁受金物を被接合部材に固定するために被接合部材の中央を貫通するように設けられているボルトと干渉することなく取り付けることができる。
【００１８】
また、梁の増設方法によると、中央部から両側部に向かって、挿通孔が形成されていない位置に新設梁の木口面が当接する両側凸部が設けられており、この両側凸部に新設梁の木口面が当接するので、梁及び梁受金物が梁受金物固定具と接触する面を水平方向に広げることができ、梁を安定的に接合することができる。
【００１９】
また本発明の梁の増設方法によると、被接合部材としての柱材の隣接する隣接する少なくとも２つの側面に既設梁が既設梁受金物を介して固定されており、梁受金物固定具を被接合部材に固定する雄ネジ材は、挿通孔のうち、固定ボルトに干渉しない高さ位置の挿通孔を挿通して柱材に螺着されるので、既設梁受金物を固定する固定ボルトと干渉することなく、梁受金物固定具を柱材に固定することができる。
【図面の簡単な説明】
【００２０】
【図１】梁受金物固定具の外観構成を示す斜視図。
【図２】梁受金物の外観構成を示す斜視図。
【図３】被接合部材としての柱材及び当該柱材に接合されている既設梁の構成を示す省略斜視図。
【図４】被接合部材としての柱材及び当該柱材に接合されている既設梁の構成を示す省略平面図。
【図５】被接合部材としての柱材及び当該柱材に接合されている既設梁の構成を示す省略正面図。
【図６】被接合部材に梁受金物固定具を固定する構成を示す斜視図。
【図７】被接合部材に梁受金物固定具を固定した状態を示す平面図。
【図８】被接合部材に梁受金物固定具を固定した状態を示す正面図。
【図９】梁受金物固定具を固定した被接合部材に梁受金物及び新設梁を接合する状態を示す斜視図。
【図１０】梁受金物固定具及び梁受金物を介して新設梁を被接合部材に固定した状態を説明する斜視図。
【図１１】被接合部材としての梁に梁受金物固定具及び梁受金物を介して新設梁を固定した状態を説明する斜視図。
【図１２】被接合部材に梁受金物固定具をその凸部及び両側凸部がＴ字状になるように固定した状態を示す正面図。
【発明を実施するための形態】
【００２１】
以下、本発明に係る梁受金物固定具１及び梁の増設方法の最良の実施形態について各図を参照しつつ説明する。梁受金物固定具１は、既存の木造建築物を改築や増築する場合に、既設の梁又は柱材などの被接合部材２に新設梁４を接合するための梁受金物固定具１及び当該梁の増設方法に関する。まず、梁受金物固定具１を用いる梁の接合構造２３について説明する。
【００２２】
梁の接合構造２３は、図９に示すように、既設の梁や柱材などの被接合部材２に梁受金物固定具１を固定し、当該梁受金物固定具１にさらに梁受金物３を固定し、そして、当該梁受金物３に新設梁４の一端を固定するものである。
【００２３】
梁受金物固定具１は、図１に示すように、鋼製の部材であり、矩形板状のベース体５と、当該ベース体５の両側部に貫通して設けられる縦方向に二列並んだ複数個の挿通孔６と、当該ベース体５の中央部に縦長に形成される凸部７と、凸部７が設けられたベース体５の中央部から両側部に向かって、挿通孔６が形成されていない位置に形成される両側凸部８と、凸部７から突出する連結ボルト９とを一体化して構成されている。なお、本実施形態において梁受金物固定具１の縦方向は、梁受金物固定具１を被接合部材２に固定したときに、鉛直方向となる方向をいう。
【００２４】
ベース体５は、厚さ６ｍｍで新設梁４の断面形状とほぼ同じ形状の板状である。挿通孔６は、例えば直径１４ｍｍのベース体５を貫通する孔であり、本実施形態においては、ベース体５の両側にそれぞれ縦方向に３０ｍｍピッチで８箇所ずつ設けられている。凸部７及び両側凸部８は厚さが９ｍｍでの鋼製板体から一体で切り出した逆Ｔ字状に形成されてベース体５に例えば溶接により固定されている。凸部７の幅はベース体５の幅の１／３程度で、両側凸部８の幅はベース体５の幅よりも僅かに小さく形成されている。なお、本実施形態において梁受金物固定具１の幅方向は、梁受金物固定具１を被接合部材２に固定したときに、水平方向となる方向をいう。また、連結ボルト９は、凸部７から例えば２７ｍｍ程度突出するように固定された直径が１６ｍｍのボルトであり、本実施形態においては４本のボルトが互いに６０ｍｍの間隔を開けて縦方向に並べて配置されている。
【００２５】
なお、梁受金物固定具１の寸法、挿通孔６及び連結ボルト９の数は、上記のものに限定されるものではなく、新設梁４の断面形状に応じて変更される。
【００２６】
梁受金物は、被接合部材２に既設梁１１を接合する既設梁受金物１０と新たに新設する新設梁４を接合する新設梁受金物３があるが、いずれも同じ構成であるので新設梁受金物３についてのみ説明し、既設梁受金物１０の説明は省略する。なお、本実施形態において、単に「梁受金物」という場合には、新設梁受金物３を指す。梁受金物３は、図２に示すように、従来一般のものと同様であり、正面視矩形の背面板１２と、その両側縁から延設された一対の梁受プレート１３とを有しており、上方から見た場合にコ字状に形成されている。背面板１２には、その幅方向の中央に縦方向に並んだ４つの固定孔１８が形成されており、固定孔１８は連結ボルト９を挿入できる大きさに形成されている。また、梁受プレート１３は、梁４の一端に形成されるスリット１４に収納される平板状であり、上端には梁４を接合する際に梁４の位置を決める係止溝１５が設けられるとともに、梁４を接合するための固定ピン１６を挿入可能なピン孔１７が４つ設けられている。なお、固定孔１８やピン孔１７の数は、上述のものに限定されるものではなく、接合する梁４の梁せいや必要な接合強度に応じて変更されていてもよい。また、背面板１２や梁受プレート１３の形状は上述のものに限定されるものではなく、公知の様々な形状を用いることができる。
【００２７】
被接合部材２は、本実施形態においては、柱材である。この柱材は、図３に示すように、既存の建築物の通し柱であり、柱材の４つの側面のうち、互いに隣接する３つの側面の同じ高さ位置にそれぞれ既設梁１１が既設梁受金物１０によって接合されている。図４に示すように、これらの既設梁受金物１０のうち、隣接しない２つの側面に固定される既設梁受金物１０は、柱を挟んで反対側に互いに背面板１２が向き合うように配置される。
【００２８】
そして、一方の既設梁受金物１０の固定孔１８から柱材に設けられた貫通孔を通って他方の既設梁受金物１０の固定孔１８に固定ボルト１９が挿通され、他方の既設梁受金物１０からナット２０で締結して梁受金物１０を固定している。図５に示すように、例えば４本の固定ボルト１９が、それぞれ柱材に設けられた貫通孔を通って両側の既設梁受金物１０を固定している。これら４本の固定ボルト１９は上下に６０ｍｍピッチで設けられている。そして、既設梁受金物１０のうち、新設梁受金物３が固定される側面と反対側の側面に固定されている既設梁受金物１０は、柱材の側面に背面板１２を当接させて、固定ボルト１９を当該既設梁受金物１０の固定孔１８から柱材に設けられた貫通孔に挿入し、柱材の他方の側面からナット２０を締結して既設梁受金物１０を固定している。
【００２９】
図５に示すように、隣接しない２つの側面に設けられた既設梁受金物１０を固定している固定ボルト１９と、新設梁受金物３が固定される側面と反対側の側面に設けられた既設梁受金物１０を固定している固定ボルト１９とは、互いに干渉しないように高さ位置がずれるように配置されている。
【００３０】
上述のような既存の建築物の梁又は柱材などの被接合部材２に新たに梁４を増設する際には、まず、図示を省略するが既存建築物の外壁パネルなどを取り外して、被接合部材２を外部に露出させる。そして、図６及び図７に示すように、梁受金物固定具１を被接合部材２の所望の箇所に固定する。具体的には、既設梁１１が既設梁受金物１０を介して接合されている側面の反対側の側面に、梁受金物固定具１を当接させる。そして、雄ネジ材２２を当該梁受金物固定具１の挿通孔６を通して被接合部材２に螺着させる。雄ネジ材２２は、本実施形態においてはラグスクリューであるが、これに限定されず、ビス、ネジなどのように雄ネジが切られており、木製の被接合部材２に螺着可能であれば良い。なお、雄ネジ材２２を被接合部材２にねじ込む前に下穴を設けておいても良い。
【００３１】
図８に示すように、梁受金物固定具１の挿通孔６は、上下方向の間隔が既設梁受金物１０を柱材に固定する固定ボルト１９が設けられる間隔の半分の間隔で形成されているので、挿通孔６のうち、既設梁受金物１０の固定ボルト１９と高さ位置が干渉しない位置に設けられている挿通孔６から柱材に雄ネジ材２２をねじ込んで梁受金物固定具１を固定する。図８においては、挿通孔６のうち斜線で示した挿通孔６が雄ネジ材２２をねじ込んで固定する挿通孔６である。なお、ラグスクリューなどの雄ネジ材２２を挿通孔６を通して被接合部材２に螺着させたとき、雄ネジ材２２の頭部がベース体５よりも突出するが、凸部７及び両側凸部８はベース体５から厚さ方向に９ｍｍ突き出すように形成されているので、梁受金物２や新設梁４を固定する際に、雄ネジ材２２の頭部が干渉することがない。
【００３２】
そして、次に、図９に示すように、柱材に固定された梁受金物固定具１の連結ボルト９に梁受金物３の背面板１２に設けられた固定孔１８を外挿し、連結ボルト９に連結ナット２１を螺着させて、梁受金物３を梁受金物固定具１に固定する。このように、梁受金物３が梁受金物固定具１を介して柱材に固定されることにより、新設梁４を固定する側から連結ナット２１を締めるだけで梁受金物３を固定することができ、柱材そのものに梁受金具１０を固定する場合のように固定ボルト１９を柱材に貫通させる必要がない。また、既設梁１１を固定している既設梁受金物１０の固定ボルト１９と干渉することもないので、既設梁１１を一旦取り外すなどの大掛かりな工事を行うことなく、新設の梁受金物３を柱材に固定することができる。
【００３３】
したがって、建築物の増設の際に屋内側から工事する必要がないので、工期短縮や作業効率を向上させることができ、また、既設梁１１の梁受金物１０を固定している位置などを考慮することなく、梁を追加する位置を自由に選択することができる。そして、増設する側からのワンサイド式で施工できることにより、防水養生の負担も低減することができる。そして、以上のような効果を有することから、増改築費用をコストダウンすることができ、また、工事範囲を限定的にすることで、建築物の利用者の金銭的負担や精神的負担を軽減することができる。
【００３４】
梁受金物３を被接合部材２である柱材に固定すると、その後、図１０に示すように、新設梁４の木口面に形成されたスリット１４に、新設梁受金物３の背面板１２から延びる梁受プレート１３を挿入し、当該新設梁４及び梁受プレート１３を水平に貫通するように固定ピン１６を挿入して、新設梁４を被接合部材２に接合する。このとき、新設梁４の木口面は、梁受金物固定具１の両側凸部８に当接する。これにより、新設梁４及び梁受金物３が梁受金物固定具１と接触する面を水平方向に広げることができるので、新設梁４を安定的に接合することができる。
【００３５】
なお、本実施形態においては、被接合部材２は、柱材であるが、例えば図１１に示すように、被接合部材２としての梁に新設梁４が接合する構造であってもよい。また、梁受金物固定具１は、凸部７及び両側凸部８が逆Ｔ字状に配置されているが、図１２に示すように、既設梁受金物１０の固定ボルト１９の配置に応じて、上下を逆に配置してもよい。また、梁受金物固定具１の両側凸部８は、必ずしも凸部７の上端又は下端から両側に広がるもの出なくてもよく、例えば凸部７の縦方向の中央から両側に広がるような構成であってもよい。
【００３６】
なお、本発明の実施の形態は上述の形態に限ることなく、本発明の思想の範囲を逸脱しない範囲で適宜変更することができることは云うまでもない。
【産業上の利用可能性】
【００３７】
本発明に係る梁受金物固定具１及び梁の増設方法は、例えば木造住宅を増築する際に好適に適用することができる。
【符号の説明】
【００３８】
１      梁受金物固定具
２      被接合金物
３      梁受金物
４      新設梁
５      ベース体
６      挿通孔
７      凸部
８      両側凸部
９      連結ボルト
１０    既設梁受金物
１１    既設梁
１２    背面板
１３    梁受プレート
１４    スリット
１９    固定ボルト
２２      雄ネジ材
【図１】
2017101470.tif 000003
【図２】
2017101470.tif 000004
【図３】
2017101470.tif 000005
【図４】
2017101470.tif 000006
【図５】
2017101470.tif 000007
【図６】
2017101470.tif 000008
【図７】
2017101470.tif 000009
【図８】
2017101470.tif 000010
【図９】
2017101470.tif 000011
【図１０】
2017101470.tif 000012
【図１１】
2017101470.tif 000013
【図１２】
2017101470.tif 000014